(57)【要約】【課題】  クリア単色モード時に、定着温度を確保するために、紙間を広げて画像形成を行うと、不必要に現像装置の駆動時間が増え、トナーが劣化してしまう。【解決手段】  クリア単色モード選択時に、通常画像形成と同じ紙間を維持して画像形成し、定着温度回復時間（休止時間）をまとめて確保することによって、現像装置の駆動を停止することが出来るため、現像剤へのストレスを低減できる。また、休止時間中にＡＴＲ制御の為の検知を行えば、時間の無駄が無い画像形成装置を提供できる。【選択図】  図２
2010091802.tif 000002
【特許請求の範囲】
【請求項１】
像担持体と、現像剤を担持し、前記像担持体と対向する現像位置に現像剤を搬送する現像剤担持体及び現像剤を攪拌する攪拌部材を備え、前記像担持体に形成された静電潜像を現像する現像装置と、前記現像剤担持体及び前記攪拌部材を駆動する駆動手段と、前記現像装置にて現像されたトナー像を記録材に定着する定着手段と、連続画像形成ジョブ中の所定のタイミングで画像形成動作を休止する動作制御手段と、この休止期間中に前記定着手段が所定温度となるように温度制御する温度制御手段と、連続画像形成ジョブ中において、連続画像形成動作中の記録材と記録材の間の非画像形成時は前記現像剤担持体及び前記攪拌部材の駆動を継続し、前記休止期間中は前記現像剤担持体もしくは前記攪拌部材のいずれか一方の駆動を停止するように前記駆動手段の駆動を制御する駆動制御手段と、を有することを特徴とする画像形成装置。
【請求項２】
前記動作制御手段は、前記休止期間が少なくとも所定時間以上となるように制御することを特徴とする請求項１記載の画像形成装置。
【請求項３】
前記現像装置は、それぞれ異なる色の現像剤にてそれぞれ異なる色の現像剤にて現像する複数の現像器と、該複数の現像器をそれぞれ回転可能に保持すると共に各現像器をそれぞれ前記像担持体と対向する現像位置に移動させる回転体と、を備えており、前記回転体に対向して設けられ、各現像器内の現像剤濃度を検知する濃度検知手段と、を有し、前記休止期間中に前記複数の現像器のうち少なくとも１つを前記濃度検知手段と対向する位置に移動するように前記回転体を移動させることを特徴とする請求項１または２に記載の画像形成装置。
【請求項４】
前記現像装置にて現像されたトナー像を記録材に転写する転写手段を有し、前記動作制御手段は、前記転写手段により転写された後の記録材上のトナー載り量の情報に基いて、画像形成動作を休止するか否かを決定することを特徴とする請求項１乃至３いずれかに記載の画像形成装置。
【請求項５】
前記現像装置にて現像されたトナー像を記録材に転写する転写手段を有し、前記動作制御手段は、前記転写手段により転写される前の記録材上のトナー載り量の情報に基いて、画像形成動作を休止するか否かを決定することを特徴とする請求項１乃至４いずれかに記載の画像形成装置。
【請求項６】
前記動作制御手段は、連続画像形成ジョブ中において、画像形成を行う記録材のつぼ量に関する情報に基いて、画像形成動作を休止するか否かを決定することを特徴とする請求項１乃至４いずれかに記載の画像形成装置。
【請求項７】
前記動作制御手段は、所定画像形成枚数毎、所定経過時間毎、もしくは前記定着手段の温度が所定温度以下となるタイミングのいずれかのタイミングに基いて画像形成動作を休止することを特徴とする請求項１乃至６いずれかに記載の画像形成装置。
【発明の詳細な説明】
【技術分野】
【０００１】
本発明は、像担持体としての感光体ドラムや感光体ベルト上の静電潜像を透明用の現像剤（以下，トナー）を用いて可視化する電子写真複写機やプリンタ等の画像形成装置に関するものである。
【背景技術】
【０００２】
近年、より高付加価値のために透明トナーを用いて画像形成を行う画像形成装置がある。例えば、透明トナーを使った用途としては以下のような用途が考えられる。これは、一度有色トナーにて画像形成した記録材上に透明トナーを定着させ、画像に特殊な効果を与えたり、ニス塗り等の効果を付与する用途が考えられている。
【０００３】
このように、２回のプリントにより、トナー載り量が一定量を超えると定着性が下がる可能性がある。従来、定着性が確保できない場合に、定着性を確保する為に、連続通紙時に紙間を適宜広げ、定着器の温度を回復させるプリントモードを有するもの（例えば、参考文献１）が提案されている。
【０００４】
また、省エネの観点から、置数および原稿枚数に応じて、定着部ヒータ電力および通紙間隔を可変制御するもの（例えば、参考文献２）が提案されている。
【特許文献１】特開平３−６５９７８号公報
【特許文献２】特開２０００−３３８８２３号公報
【発明の開示】
【発明が解決しようとする課題】
【０００５】
特許文献１、２のように、通紙紙間を広げて、定着器の温度を回復させるモードの場合、例えば通常６０ｃｐｍ（Ａ４サイズ）のプリンタの紙間を広げ、生産性を４０ｃｐｍにすることが考えられる。
【０００６】
このとき例えば、プロセス速度（以下ＰＳと記述）が２８０ｍｍ／ｓの場合、紙間時間は６０ｃｐｍで２５０ｍｓｅｃ、４０ｃｐｍで１０００ｍｓｅｃである。この１０００ｍｓｅｃという短時間に現像器の現像スリーブや撹拌スクリューを停止・再駆動することは、立ち上げ時間の確保が困難な為に停止することは出来ない。このため、連続画像形成中は、紙間でも通常どおりに現像器は継続して駆動されている。
【０００７】
現像プロセスを行うときはトナー消費、つまりトナー像形成の為にトナーは感光体に供給され、現像器内のトナー減少分だけ補給によって新しいトナーが供給される。逐次トナーが補給される為、トナーは順次入れ替わるのでトナーの劣化は問題ないが、現像を行わない紙間時間が延びることは、現像剤にストレスを与える時間の延長に他ならない。
【０００８】
新しいトナーが供給されずにストレスを受け続けたトナーは、トナー表層の外添剤剥離などが進行し、帯電能力が減少し、そのトナーによって現像を行うと画質の低い画像になってしまう。また、定着動作中において、定着ローラの温度が所定の下限温度を下回り、定着不良が予想される場合、定着温度が所定温度に復帰するまで画像形成を一時中断する方法も考えられる。しかしながら、このような制御をした場合、停止時間は一定時間を保証するものではなく、装置の温度環境の違いにより数秒間の停止の場合もある。このような停止時間では、現像スリーブおよび撹拌スクリューの回転を停止・再駆動するのに十分な時間を確保できない可能性がある。このため、現像スリーブおよび撹拌スクリューの回転は停止することなく回転し続ける必要があり、現像剤に不必要にストレスを与えてしまっていた。
【課題を解決するための手段】
【０００９】
上記課題を解決するための本発明に係る画像形成装置は以下を有する。像担持体と、現像剤を担持し、前記像担持体と対向する現像位置に現像剤を搬送する現像剤担持体及び現像剤を攪拌する攪拌部材を備え、前記像担持体に形成された静電潜像を現像する現像装置と、前記現像剤担持体及び前記攪拌部材を駆動する駆動手段と、前記現像装置にて現像されたトナー像を記録材に定着する定着手段と、連続画像形成ジョブ中の所定のタイミングで画像形成動作を休止する動作制御手段と、この休止期間中に前記定着手段が所定温度となるように温度制御する温度制御手段と、連続画像形成ジョブ中において、連続画像形成動作中の記録材と記録材の間の非画像形成時は前記現像剤担持体及び前記攪拌部材の駆動を継続し、前記休止期間中は前記現像剤担持体もしくは前記攪拌部材のいずれか一方の駆動を停止するように前記駆動手段の駆動を制御する駆動制御手段と、を有することを特徴とする。
【発明の効果】
【００１０】
連続画像形成ジョブ中の不必要な現像器内の現像剤の攪拌時間を抑制することにより現像器内のトナーが劣化してしまうことを抑制できる。
【発明を実施するための最良の形態】
【００１１】
以下に、本発明の実施の形態を図面に基づいて詳細に説明する。
【００１２】
（第１の実施の形態）
【実施例１】
【００１３】
［画像形成装置］
図１は本発明を適用した画像形成装置例の概略構成図である。この画像形成装置は、電子写真フルカラー画像形成装置であり、上部にデジタルカラー画像リーダー部Ｒ、下部にデジタルカラー画像プリンタ部Ｐを有する。
【００１４】
リーダー部Ｒにおいて、３１は原稿台ガラス、３２はそのガラス３１に対して開閉可能な原稿圧着板である。ガラス３１上にカラー原稿Ｏを画像面下向きで所定の載置基準に従って載置し、その上に原稿圧着板３２を被せることで原稿Ｏをセットする。
【００１５】
原稿圧着板３２を原稿自動送り装置（ＡＤＦ、ＲＤＦ）にして、ガラス３１上にシート状原稿を自動的に送る構成にすることもできる。
【００１６】
３３はガラス３１の下面に沿って移動駆動される移動光学系である。この移動光学系３３によりガラス３１上の原稿Ｏの下向き画像面が光学的に走査される。その原稿走査光が光電変換素子（固体撮像素子）であるＣＣＤ３４に結像されてＲＧＢ（レッド・グリーン・ブルー）の三原色で色分解読取りされる。
【００１７】
読取られたＲＧＢの各信号は、画像処理部（不図示）に入力される。
【００１８】
プリンタ部Ｐは、１つのドラム、ロータリー現像構成、及び中間転写構成を有する電子写真画像形成機構である。
【００１９】
このプリンタ部Ｐの動作概略は次の通りである。
【００２０】
像担持体としての電子写真感光体ドラム（以下、感光ドラムという）１上に、画像処理部に入力された画像信号を、静電潜像形成手段としてのレーザースキャナ３にて、露光画像として形成する。
【００２１】
感光ドラム上に形成された露光画像は、所望の色の現像剤を収容し、（図示しない）トナーカートリッジ部より現像剤としてのトナーを必要時随時補給されるべく、補給パイプ４００を備えている。そして、補給パイプ４００により搬送される各色トナーは、現像ロータリー内部に配置された複数の現像器に適宜補給される。各現像器４は、ロータリ４１によって順次現像位置に移動され、この現像位置にて露光画像をそれぞれ異なる色のトナー像を順次形成する。
【００２２】
この感光ドラム１上の各色のトナー像を更に中間転写ベルト（以下、ベルトという）５上に１色毎に１次転写することを繰り返して、ベルト５上に未定着の必要色のトナー像を合成形成する。その後、このトナー像を一括で記録材Ｓ上に２次転写し、次いで定着してフルカラー画像形成物を出力するものである。
【００２３】
以下、更に詳しく説明する。
【００２４】
感光ドラム１は矢印の反時計方向に所定の速度で回転駆動され、その表面が帯電手段としての帯電器２により所定の極性・電位に一様に帯電される。その帯電処理面が露光手段としてのレーザースキャナ３によりレーザー走査露光される。
【００２５】
レーザースキャナ３は、レーザー出力部、ポリゴンミラー、結像レンズ、折り返しミラー等を有し、画像処理部から入力される画像情報信号に対応して変調されたレーザー光（光信号）を出力する。静電潜像形成手段としての帯電装置２により帯電された感光ドラム１は静電潜像形成手段としてのレーザースキャナ３にて走査露光される。これにより、感光ドラム１の面に走査露光パターンに対応した静電潜像が形成される。
【００２６】
尚、上記画像情報信号は、前述のリーダー部Ｒから読み込まれた画像情報以外にも、ＰＣなどの外部機器より電送される画像情報より合成、形成されたものでももちろん構わない。その静電潜像がロータリー現像装置４によりトナー像として現像される。
【００２７】
現像装置としてのロータリー現像装置４は、回転体としてのロータリー４１に、イエロー、マゼンタ、シアン、ブラック、クリアのそれぞれの色現像剤（トナー）を収容させた５つの現像器４を装着したものである。ロータリー４１は回転可能に設けられている。ロータリー４１は、保持している複数の現像器４をそれぞれ順次現像位置に移動させる。
【００２８】
また、現像器４には、感光ドラム１と対向する現像位置に現像剤を担持搬送する現像剤担持体としての現像スリーブ４０１を有する。また、現像器４には、現像装置内の現像剤を攪拌する攪拌部材としての攪拌スクリュー４０２を有する。現像スリーブ４０１及び攪拌スクリュー４０２は、不図示の駆動手段にて駆動される。
【００２９】
ロータリー４１が所定の制御タイミングにて所定の角度、図示矢印方向に回転されることによって、各々の現像器が感光ドラム１と対向する現像位置に切り換えられて配置される。現像位置において、感光ドラム１と、現像器側の現像スリーブとの距離（ＳＤ距離）が或る決められた範囲内に保たれる。なお、現像動作についは、本実施例の形態で特徴的な項目であり、詳細は後述する。
【００３０】
ベルト５は可撓性を有する誘電材製のエンドレスベルトであり、複数のローラ５ａ〜５ｇ間に懸回張設されている。ベルト５の外面はローラ５ｂ・５ｃ間において感光ドラム１に接触している。その接触部が１次転写ニップ部Ｔ１である。
【００３１】
この１次転写ニップ部Ｔ１において、ベルト５の感光ドラム１側と反対側に転写手段としての１次転写ローラ６が配設されていて、ベルト５の内面に接している。
【００３２】
この１次転写ローラ６には、所定の制御タイミングにて、トナーと逆極性の１次転写電圧が印加される。ベルト５は、例えばローラ５ａを駆動ローラとして、感光ドラム１の回転速度とほぼ同じ速度で矢印の時計方向に回転駆動される。
【００３３】
まず、感光ドラム１に対して、１色目のトナー像が、上記の帯電・露光・現像の画像形成工程により形成される。そして、そのトナー像が１次転写ニップ部Ｔ１においてベルト５上に転写される。
【００３４】
ベルト５に転写されないで感光ドラム１の面に残った１次転写残トナーはドラムクリーニング装置７により感光ドラム面から除去される。クリーニング装置７により清掃された感光ドラム１は繰り返して画像形成に供される。
【００３５】
上記と同様の画像形成工程が、２色目〜Ｎ色目について、同様に随時繰り返えされる。これにより、ベルト５上に、各現像色のトナー像の順次重畳転写からなる未定着のトナー画像が合成形成される。
【００３６】
一方、所定の制御タイミングで、第１〜第４の給紙カセット８１〜８４、或いはマルチ手差しトレイ８５の複数の給紙部のうち、予め選択された給紙部の給紙ローラ１１が駆動される。これにより、その給紙部に収容された記録材Ｓが１枚分離されて送り出されてシートパス１３からレジストローラ１４へ送られる。
【００３７】
レジストローラ１４は、記録材Ｓの斜行補正と、ベルト５から記録材Ｓへのトナー像の２次転写のタイミングを制御するもので、給紙部側から給紙された記録材Ｓの先端を受け止めて一旦停止させる。
【００３８】
１５は２次転写ローラである。この２次転写ローラ１５は、ベルト５の複数のローラ５ａ〜５ｇの内のローラ５ｇと対向配置されている。２次転写ローラ１５は、該ローラ５ｇに対してベルト５を挟んで所定に圧接した第１状態と、ベルト５の外面から離間した第２状態とに、（図示しない）加圧制御機構により切り換え、脱着制御される。
【００３９】
２次転写ローラ１５は常時はベルト５の外面から離間した第２状態に切り換えられて保持されている。尚、第１状態に切り換えられることで、ベルト５の外面との間に２次転写ニップ部Ｔ２が形成される。
【００４０】
２次転写ローラ１５は所定の制御タイミングで第１状態に切り変えられる。また、レジストローラ１４の位置で一旦停止されている記録材Ｓは所定の制御タイミングでレジストローラ１４から再給紙され、第１状態に切り変えられた２次転写ローラ１５とベルト５との間の２次転写ニップ部Ｔ２に導入される。
【００４１】
そして、記録材Ｓはこの２次転写ニップ部Ｔ２を挟持搬送されていく。その間、２次転写ローラ１５には所定の２次転写電圧が印加されて、ベルト５上の複数色からなるトナー像が記録材Ｓ上に静電的に一括転写され、記録材Ｓ上には未定着のトナー像が形成（転写）される。
【００４２】
記録材Ｓに転写されないでベルト５の面に残った２次転写残トナーはベルトクリーニング装置１６によりベルト面から除去される。このクリーニング装置１６により清掃されたベルト５は繰り返して画像形成に供される。
【００４３】
クリーニング装置１６は、常時はベルト５の外面から離間した状態に保持されている。２次転写ニップ部Ｔ２にてベルト５から記録材Ｓに対するトナー像の２次転写がなされるときに、所定の制御タイミングにてベルト５の外面に接触した状態に切り換えられる。
【００４４】
２次転写ニップ部Ｔ２を出た記録材Ｓはベルト５の面から分離して、搬送ベルトユニット１７によって定着手段としての定着器１８へ搬送され、未定着トナー像は熱及び圧力により記録材Ｓ上に融着されて定着画像となる。定着器１８は、不図示の温度検知手段としての温度センサに基いてＣＰＵにより所定温度に温度制御されている。
【００４５】
定着器１８を出た記録材Ｓはシートパス１９を通って排紙トレイ２０上に排出される。
【００４６】
２５は、再度シートＳに画像を転写、定着させる際のシート搬送パスである。このシート搬送パスは、両面画像形成モードや多重画像形成モードが選択された場合に、定着器１８を出た、片面画像形成済みの記録材又は１回目画像形成済みの記録材を表裏反転させて、もしくは表裏反転させないで、２次転写ニップ部Ｔ２へ再搬送する。
【００４７】
次に、両面画像形成モードについて詳細に説明する。
【００４８】
定着器１８を出たシートは、切り替えフラッパ２６にて、図中下方の搬送パスへ導かれ、反転ローラ２２にて反転し、シート後端側を先端として、切り替えフラッパ２７にて、図中右方向へ搬送される。そして、デカーラ２３にて、カール補正され、主走査方向（奥・手前方向）のシート位置を横レジ検知センサ２４にて検出され、搬送パス２５へと送られる。
【００４９】
デカーラ２３は、シートが再度二次転写ニップ部Ｔ２に送られる際、下向き（上凸形態）のカールになる様、カール補正の向きが設定されている。これは、逆の上向き（下凸形態）のカールの際、シート先端がニップ部入り口に引っかかる、或いは入り難い、及び、搬送され難い、ニップへのシートの入りと出の際のシートの跳ねが大きい、などが原因の二次転写不良（画像不良）が生じる為である。
【００５０】
また、横レジ検知センサ２４にて検知されたシート端部の位置情報は、裏面の画像の主走査方向の書き込み位置の補正用に用いられる。これにより、両面搬送パス中にシートの主走査方向の位置に変動が生じても、１面目の画像とほぼ同じ主操作位置に画像を形成することが可能となる。
【００５１】
その後シートＳは再度定着器を通過し、搬送パス１９を経由し、排紙ローラ２００にて、排紙トレイ２０上に排出される。
【００５２】
また、デカーラ２９は、シートを反転し表裏逆向きに排出する際に使用する搬送パス中に構成される。デカーラ２９は、反転ローラ２２にて反転された後、フラッパ２７を作動させず図中上方へ反転搬送した後、フラッパ２８にて排紙ローラ側にシート搬送向きを切り替え、排紙トレイ上に下向きのカールを形成し排出する役割を有する。ここで、下向きのカールを形成し排出するのは、トレイ上のシートの積載状態を良好に保つ為である。
【００５３】
次に、実施例の画像形成装置の画像形成動作に関して、更に詳しく説明する。本実施例における画像形成装置のプロセス速度（以下、ＰＳ）は２８０ｍｍ／ｓｅｃであり、Ａ４サイズ紙を１分間に６０イメージの画像を形成できる。Ｙ、Ｍ、Ｃ、Ｂｋのトナーを用いたいわゆるフルカラープリントは、４イメージを重ね合わせる為、１５枚／分のプリントが可能である。ここで、単色、例えばＢｋ単色の場合は、１色のプリントであるから毎分６０枚を出力できる。
【００５４】
フルカラー画像のトナー載り量は、２７０％を上限としていて、この２７０％のトナー載り量であれば１５枚／分の定着が可能な定着器１８が具備されている。（一度に形成できる最大載り量を１００％としている。）単色、例えばＢｋ単色の場合は、最大載り量１００％であるので、同じ定着器を用いても６０枚／分の定着が可能である。
【００５５】
［休止モード］
ここで、本実施例の特徴部分である、休止モードについて説明する。
【００５６】
既に用紙にプリント済のプレプリント紙に、クリアトナーを載せて定着させる使い方をする場合、プレプリント紙の最大載り量２７０％にクリアトナーを最大１００％載せて定着を行わなくては成らない。この時、６０枚／分のスピードで定着すると、通紙によって定着器の温度は低下し、定着性を満足できなくなる可能性がある。
【００５７】
そこで、本実施例では、以下に述べる休止モードが実行可能になっている。即ち、休止モードとは、連続画像形成ジョブ中において、定着器の温度が所定温度を保証できないような状況となる虞があるとき、所定の定着温度が保証されるように所定のタイミングで画像形成動作を所定時間休止させる。本実施例では、動作制御手段としてのＣＰＵにより、所定のタイミングで画像形成動作を所定時間休止させる。そして、この休止期間中に、定着器の温度を制御する温度制御手段としてのＣＰＵが、定着ローラの温度が所定の目標温度になるように温度制御する。そして、この休止期間中において、現像装置４の駆動を制御する駆動制御手段（不図示）により現像装置４の駆動を停止・再駆動するモードである。尚、本実施例の画像形成動作とは、レーザスキャナ３による静電潜像の形成動作のことをいい、上記休止モードにはレーザスキャナ３による静電潜像の形成は行われない。本実施例のように現像器がロータリー現像器の場合、通常、現像位置以外に保持されている各色の現像器は駆動を停止している。ここでいう、上記休止モードの休止期間において現像器の駆動を停止させるとは、現像位置で画像形成動作を行っていた現像器の現像スリーブ及び現像スクリューの少なくともいずれか一方の駆動を停止させることを意味する。
【００５８】
以下、本実施例では、プレプリント紙上にクリア単色をプリントする「クリア単色モード」を例に、本発明の休止モードについて説明する。
【００５９】
本実施例では、操作部から画像形成装置の使用者であるオペレータにより「クリア単色モード」が選択できるようになっている。そして、「クリア単色モード」が選択されることによって、自動的に休止モードに移行するように設定されている。「クリア単色モード」の画像形成の一連の流れを、図２のフローチャートに示す。以下、図２のフローチャートおよび図３のブロック図を用いて説明する。
【００６０】
ステップ１（Ｓ１）：ＣＰＵは、操作部からの入力情報を基に、クリア単色モードであるか否かを判断。
【００６１】
ステップ２（Ｓ２）：クリアモード以外が選択された場合において、ＣＰＵは通常プリントモードを行う。ここで、通常プリントモードとは、連続画像形成ジョブにおいて、定着ローラの温度低下により定着ローラを復帰させるために画像形成動作を強制停止することなく、所定の通紙間隔で搬送されてくる紙に連続して画像形成を行うことをいう。
【００６２】
ステップ３（Ｓ３）：クリアモードが選択された場合において、ＣＰＵは休止モードを実行する。図１０は、本実施例の休止モードを示すフローチャートである。休止モードでは、ＣＰＵが、所定タイミング（本実施例ではプリントＮ枚毎）でプリントを休止するように制御している。このとき、温度制御手段としてのＣＰＵは、定着ローラの温度が所定の目標温度となるように温度制御を継続させている。更に、ＣＰＵは、休止時間は所定時間の間休止するようにプリンタ部を制御する。尚、本実施例においてはＮ＝４０である。また、本実施例では４０枚ごとに２０秒間の休止期間を設けている。更に、ＣＰＵは、上記休止時間内に現像装置４に内装される現像剤担持体としての現像スリーブ４０１および攪拌部材としての撹拌スクリュー４０２の回転を停止させる。更に、休止期間の終了にあわせて画像形成動作が再開できるように、現像スリーブおよび撹拌スクリューの回転を再駆動するように現像装置を駆動する駆動部を制御する。尚、本実施例では、連続画像形成ジョブ中において、連続画像形成動作中の記録材と記録材の間の非画像形成時間は、現像装置の駆動を停止することなく画像形成を行っている。
【００６３】
本実施例での休止モードの有効性について更に詳しく説明する。
【００６４】
図４に、比較例として紙間を広げて定着の温度低下させないモードと、本件の「クリア単色モード」の場合の用紙出力の最初の数枚の様子を示す。横軸は時間である。図４（ａ）は、休止時間を設けずに、そのかわりに紙間を広げることで定着ローラの温度低下させないモードである。図４（ｂ）は、本実施例のクリア単色モードであり、紙間を広げることなく、連続して画像形成を行い、定着温度が保証されないタイミングとなったら画像形成動作を休止させて定着温度を復帰させるモードである。
【００６５】
同様に、図５は、７５秒間のＪｏｂの様子を示したものである。時間軸ゼロは、一枚目の出力開始とし、黒のハッチング部は用紙を表し、黒くないところが紙間を示す。また、黒のハッチング部の上に書いた数字は出力紙の枚数を示している。図４（ｂ）に示すように、クリア単色をプリントするモードにおいては、６０枚／分の速度を維持したまま４０枚（つまり４０秒間）のプリントを行う。図４は、８枚目の出力まで示している。一方、紙間を広げた（ｂ）は、同じ時間に約６枚の出力になっている。最初の数枚を比べると、（ｂ）つまりクリア単色モードの方が生産性が高いことが分かる。図５は６５秒間のＪｏｂの様子を示したのもであり、（ｂ）クリア単色モードは４０枚つまり４０秒経過した後、２０秒間プリントを休止し、現像装置の駆動を停止する。
【００６６】
６０秒あたりの生産性は、いずれも４０枚であるが、クリア単色をプリントするモードにおいては、６０枚／分の速度を維持したまま４０枚（つまり４０秒間）のプリントを行い、２０秒間プリントを休止する。この休止の間に定着ローラを所望の温度に回復させる。ここで、プリント休止中の２０秒という時間は、現像装置４に内装される現像スリーブおよび撹拌スクリューの回転を停止・再駆動するのに十分な時間である為、現像スリーブおよび撹拌スクリューの回転を停止する。
【００６７】
このように、図４（ａ）のモードでは、６０秒間の間に、現像装置４に内装される現像スリーブおよび撹拌スクリューの回転を停止できない。一方、本実施例のような図４（ｂ）のモードでは、現像装置４に内装される現像スリーブおよび撹拌スクリューの回転を２０秒間も停止することができ、現像器内のトナー劣化を抑制することができる。
【００６８】
本実施例によれば、連続画像形成ジョブ中において、所定枚数画像形成毎に現像装置の駆動を停止及び再駆動するのに充分な所定時間の間画像形成動作を休止する休止期間を設けている。このため、この休止期間中に現像装置の駆動を停止・再駆動することが可能であり、現像装置５の中にあるトナーに対して不要なストレスを与えることを抑制することができる。本実施例では、休止モードは、連続画像形成ジョブ中において、所定画像形成枚数毎に行われる例を説明したが、所定経過時間毎に行ってもよい。
【００６９】
（第２の実施の形態）
次に、本発明第２の実施例について説明する。
【００７０】
画像形成装置の構成は、前述の実施例１と同じである。実施例１と異なる点は、休止モード実行時の休止期間中において、現像スリーブ上の現像剤濃度を検知するべく、検知対象の現像装置を濃度検知手段としてトナー濃度センサ位置まで移動するためにロータリーを公転させている点が異なっている。
以下詳しく説明する。「クリア単色モード」を選択する。画像形成の一連の流れを、図６のフローチャートに示す。
ステップ１（Ｓ１１）：クリア単色モードであるか否かを判断
ステップ２（Ｓ１２）：クリアモード以外が選択された場合において、通常のプリントを行う。
ステップ３（Ｓ１３）：クリアモードが選択された場合において、プリントＮ枚毎にプリントを休止する。このとき、ＣＰＵは、定着ローラの温度が所定の目標温度となるように温度制御を継続させている。更に、ＣＰＵは、上記休止時間内に現像装置４に内装される現像スリーブおよび撹拌スクリューの回転を停止させ、ロータリの公転を行う。そして、画像形成開始のタイミングにあわせて現像スリーブおよび撹拌スクリューの回転を再駆動させる。本実施例においてもＮ＝４０である。
【００７１】
また、本実施例では、プリント休止中の２０秒の間に、ロータリを公転させ現像装置４の現像ローラ上のトナー濃度を検知するトナー濃度センサ４０３（図１）で検知し、現像装置のトナー濃度を把握する。回転するロータリに配設された現像装置には、ロータリが回転する為にトナー濃度センサと本体ＣＰＵとの通信を行う信号線が捻じ切れてしまうのでセンサを配置できない。そこで、回転するロータリに配設された現像装置のトナー濃度を検知するためには、現像ローラをトナー濃度センサの位置まで移動させて検知する必要がある。本実施例によれば、このトナー濃度検知をプリント休止中の時間を利用して検知を行っている為、検知する為に別途時間を確保する必要がないので、無駄がない（生産性の低下を悪化させることが無い）。尚、本実施例では、不図示のトナー濃度検知手段としての濃度センサ４０３が、ロータリ４１の外周部の所定位置に対向配置されており、検知対象の現像スリーブを濃度センサと対向する位置に移動させることで現像スリーブ上の現像濃度を検知している。本実施例では、クリア単体モードであるので、休止期間中において、少なくともクリアトナー用の現像器をセンサ対向部に移動させ、このときの検知結果に基いてトナー補給制御を行っている。但し、検知対象の現像器としては、クリアトナー用の現像器以外の現像器でもかまわない。複数ある現像器のうち少なくとも１つの現像器をみれるように構成されていてもよい。
【００７２】
（第３の実施の形態）
次に、本発明第３の実施例について説明する。本実施例の画像形成装置の構成は、前述の実施例１と同じである。本実施例と実施例１との異なる点は以下の２点ある。一つ目は、休止モードに入るタイミングを定着温度に応じて変更可能な点が異なっている。２つ目は、休止モード時の休止時間を、定着ローラの温度に基いて延長可能な点が異なっている。
【００７３】
以下、詳細に説明する。図７は、定着装置の加熱ローラの温度推移を示す。横軸は時間、縦軸は定着ローラ温度を示している。実線および破線はそれぞれ条件１、２、３における定着ローラの温度推移を示している。ここで、条件１〜３とは
条件１：４０枚プリント後に休止する（本発明第１の実施例で説明した画像形成装置）。
【００７４】
条件２：４０枚プリント後または定着ローラ温度が１６０℃以下になった場合
休止する（条件１と同じ定着器）
条件３：４０枚プリント後または定着ローラ温度が１６０℃以下になった場合
休止する（条件２よりも定着温調能力の低い定着器）
図７に示すグラフの説明を行う。条件１の場合、４０秒プリントを行うと本機は４０ｃｐｍの速度であるから４０枚プリントを行う。この時、定着ローラ温度は１６３℃に低下している。４０枚プリントを行うと２０秒間の休止状態になり、その間に定着ローラの温度は１８０℃に回復する。条件２の場合、４０枚のプリント途中であっても定着ローラ温度が１６０℃以下になると休止状態になる設定であるが、プリントによる温度降下の速度が緩やかな為、４０枚のプリントを行っても１６３℃である為、４０枚プリントを行うまで休止状態にはならない。条件３の場合、これまでと同じ画像形成装置の定着器のヒータのワッテージを小さくした、定着温調能力の低い定着器を用いている。プリントを行うと条件１、２に比べて定着ローラの温度降下の速度が速く、２２枚プリント後に１６０℃にまで低下し、休止状態に入る。
【００７５】
次に、休止状態から画像形成動作を復帰させるタイミングについて説明する。実施例１では、休止モード時の休止時間は所定時間で固定されていたが、本実施例では、定着ローラの温度に基き、休止時間が所定時間経過しても定着ローラの温度が所定温度に回復していない場合は、定着ローラ温度が回復するまで休止時間時間を延長している。
【００７６】
本実施例の制御シーケンスを、図８のフローチャートにて説明する。
ステップ１（Ｓ２１）：クリア単色モードであるか否かを判断
ステップ２（Ｓ２２）：クリアモード以外が選択された場合において、通常のプリントを行う。
ステップ３（Ｓ２３）：クリアモードが選択された場合において、定着ローラ温度を確認し、温度が１６０℃以下かどうかを判断。
ステップ４（Ｓ２４）：定着ローラ温度が１６０℃（Ｔ１）よりも高い場合は、一枚プリントを行い、ステップ３（Ｓ２３）へ移行する。
ステップ５（Ｓ２５）：ステップ３において、定着ローラ温度が１６０℃（Ｔ１）以下の場合は、所定温度以上（本実施例では１６５℃（Ｔ２））以上に回復するまで画像形成動作を休止させる。但し、このときも休止時間は最短でも２０秒は確保されている。言い換えると、休止時間は、少なくとも所定時間以上（２０秒間以上）となるように制御されている。ここで、休止時間を最短でも２０秒確保する理由は、現像スリーブおよび撹拌スクリューの回転を停止・再駆動するのに十分な時間を確保するためである。
【００７７】
更に、ＣＰＵは、上記休止時間内に現像装置４に内装される現像スリーブおよび撹拌スクリューの回転を停止させ、画像形成開始のタイミングにあわせて現像スリーブおよび撹拌スクリューの回転を再駆動させる。
ステップ６（Ｓ２６）：Ｊｏｂ再開し、Ｊｏｂの残りがある場合は、ステップ３（Ｓ２３）の前まで戻る。
【００７８】
先に述べた条件１〜３はいずれも室温２３℃の環境下での実験であるが、例えば室温が極端に低い場合には条件１および２で用いた場合も温度降下の速度が速くなり、条件３の様に４０枚のプリント以前に１６０℃まで低下する可能性がある。そこで、所定枚数（本実施例では４０枚）以前に１６０℃以下つまり定着性を満足できない温度まで低下した場合にも休止状態になるようにしておけば、定着性が不十分なプリントを出力することが無い。また、２０秒の休止時間を確保しているので、現像スリーブおよび撹拌スクリューの回転を停止・再駆動するのに十分な時間であり、停止できるので、現像装置５の中にあるトナーにストレスを与えることが無い。
【００７９】
尚、給紙までの枚数Ｎ、定着温度Ｔ１、Ｔ２はこれに限定するものではなく、各画像形成装置に応じて適宜設定すればよい。
【００８０】
尚、本実施例のステップ５は、実施例１の休止モードと同様の効果を得ることができる。、実施例１では、所定画像枚数毎にプリントを休止して現像装置の駆動を停止していたが、本実施例では、前記定着手段の温度が所定温度以下となるタイミングでプリント休止している点が実施例１と異なっている。この構成とすることで、連続画像形成により定着性が満足できない状態に陥ることを確実に防止することができる。
【００８１】
（第４の実施の形態）
本実施例を図１１を用いて説明する。
【００８２】
本実施例と実施例１との違いは、クリア単色モードにおいて、休止モードを実行するか否かをプレプリント紙上の透明トナー転写後のトナーの載り量、プレプリント紙のつぼ量に基いて判断する点が異なる。ここで、つぼ量とは、一定面積の紙の重さのことをいう。
【００８３】
既に下地に画像のあるプレプリント紙に対し、透明トナーを載せて定着させる使い方をする場合、４色の場合の最大載り量にさらにクリアトナーを最大１００％載せて定着を行う場合がある。この時、通常の定着温度で定着すると定着性を満足できない可能性がある。また通常のスピードで定着すると、通紙によって定着器１８の温度は低下し、定着性を満足できなくなるという問題がある。一方、クリア単色モード時に必ず休止モードに入る構成では、例えば、定着不良が起こりにくい状況であっても強制的に画像形成動作を休止させてしまい、不必要なダウンタイムが生じてしまう。
【００８４】
そこで、本実施例では、休止モードを実行するにあたって、プレプリント紙上に透明トナー像を転写した後のトナーの載り量、プレプリント紙のつぼ量が検知可能になっており、この検知結果に基いて休止モードを実行するか否か決定している。以下、図９のフローチャートを用いて本実施例の制御シーケンスについて説明する。
ステップ１（Ｓ３１）：クリア単色モードであるか否かを判断
ステップ２（Ｓ３２）：クリアモード以外が選択された場合において、通常のプリントを行う。
ステップ３（Ｓ３３）：クリアモードが選択された場合において、透明トナー転写前のプレプリント紙上のトナーの載り量を画像濃度検知センサ５１で検知する。そして、濃度検知センサ５１の検知結果と透明トナーのこれから転写するトナー載り量を加味し、転写紙上のトータルトナーの載り量が一定値を超えているか判断する。転写紙上のトータルトナーの載り量が一定値を超えていない場合、ステップ２へ移行する。
ステップ４（Ｓ３４）：ステップ３で、プレプリント紙上のトータルトナーの載り量が一定値を超えている場合、紙厚検知センサ５２で紙の坪量が所定値以上であるかを判断し、Ｙｅｓの場合、休止モードに突入する。休止モードは実施例１と同じである。Ｎｏの場合は、ステップ２へ移行する。
【００８５】
この休止モードの間に定着器１８を規定の温度に回復させる。さらにプリント停止と同時にＡＴＲ制御（ＡＴＲ：Ａｕｔｏｍａｔｉｃ  Ｔｏｎｅｒ  Ｒｅｐｌｅｎｉｓｈｅｒ）の実施および現像装置４の駆動を停止させる。
【００８６】
第４の実施例では、画像濃度検知センサ５１及び紙厚検知センサ５２にて、透明トナー転写後のトナーの載り量及びプレプリント紙の坪量を検知し、該情報に基いて休止モードを実行するか否かを判断していたがこれに限定されない。例えば、使用者が操作部よりプレプリント紙の坪量に関する情報を入力可能な構成としておき、この入力された情報に基いてプレプリント紙のつぼ量が所定値以上か否かを検知しても良い。
【００８７】
また、本実施例では、転写後に記録材上のトナー載り量（プレプリント紙上のトナー載り量と、２回目の画像形成によって形成されたクリアトナー載り量の和）に基いて、休止モードを実行するか否かを判断しているが、これに限定されない。例えば、２回目の画像形成によって形成されたクリアトナー載り量だけで休止モードを実行するか否かを判断してもよい。この場合、透明トナーの載り量をビデオカウント情報に基いて検知すれば、画像濃度検知センサ５１を設ける必要がなくコストダウンが図れる。
【００８８】
更にまた、本実施例では、透明トナーの転写前にプレプリント紙上のトナー載り量を検知したが、これに限定するものではなく、例えば、図１に示すように画像濃度センサ５１を配置し、透明トナー転写後にトータルトナー載り量を検知し、判断しても良い。
【図面の簡単な説明】
【００８９】
【図１】本発明を説明する画像形成装置の断面図
【図２】第１の実施例を説明するフローチャート
【図３】第１の実施例を説明するブロック図
【図４】第１の実施例の用紙出力を示す図
【図５】第１の実施例の用紙出力を示す図
【図６】第２の実施例を説明するフローチャート
【図７】第３の実施例を説明する定着ローラ温度推移グラフ
【図８】第３の実施例を説明するフローチャート
【図９】第４の実施例の制御シーケンスを説明するフローチャート
【図１０】第１及び第２の実施例の休止モードを説明するフローチャート
【図１１】第４の実施例を説明する画像形成装置の断面図
【符号の説明】
【００９０】
Ｐ  プリンタ部
Ｒ  リーダ部
１  感光ドラム
４  現像装置
１８  定着器
【図１】
2010091802.tif 000003
【図２】
2010091802.tif 000004
【図３】
2010091802.tif 000005
【図４】
2010091802.tif 000006
【図５】
2010091802.tif 000007
【図６】
2010091802.tif 000008
【図７】
2010091802.tif 000009
【図８】
2010091802.tif 000010
【図９】
2010091802.tif 000011
【図１０】
2010091802.tif 000012
【図１１】
2010091802.tif 000013